(57)【要約】【課題】内視鏡から取り外されたケーブルを内視鏡の交換、及びプロセッサ操作の邪魔とならないように保持すると共に、内視鏡とケーブルとの着脱を容易に行える内視鏡装置、及び内視鏡用ビデオプロセッサを提供すること。【解決手段】本発明の内視鏡装置は、内視鏡コネクタ１１３を備えた内視鏡１００と、上記内視鏡が接続される装置本体２と、上記内視鏡コネクタに配設される接続部１１３ｂと接続される第１のコネクタ部４３、及び上記装置本体と接続される第２のコネクタ部４２を備えたケーブル４１と、上記内視鏡コネクタが上記装置本体に接続された状態において、上記内視鏡と非接続状態の上記第１のコネクタ部側の上記ケーブルの端部を上記接続部が臨む側に保持する保持部１３と、を備えたことを特徴とする。【選択図】  図２２
2008055130.tif 000002
【特許請求の範囲】
【請求項１】
内視鏡コネクタを備えた内視鏡と、
上記内視鏡が接続される装置本体と、
上記内視鏡コネクタに配設される接続部と接続される第１のコネクタ部、及び上記装置本体と接続される第２のコネクタ部を備えたケーブルと、
上記内視鏡コネクタが上記装置本体に接続された状態において、上記内視鏡と非接続状態の上記第１のコネクタ部側の上記ケーブルの端部を上記接続部が臨む側に保持する保持部と、
を備えたことを特徴とする内視鏡装置。
【請求項２】
上記保持部は、上記接続部が臨む方向の上記装置本体に配設されていることを特徴とする請求項１に記載の内視鏡装置。
【請求項３】
上記保持部は、上記第１のコネクタ部が上記内視鏡と接続状態において、上記装置本体と非接続状態の上記第２のコネクタ部を保持可能であることを特徴とする請求項１、又は請求項２に記載の内視鏡装置。
【請求項４】
上記保持部は、上記ケーブルからの張力を受けて、上記第１、或いは第２のコネクタ部を当接して係止する係止面を有することを特徴とする請求項１から請求項３のいずれか１項に記載の内視鏡装置。
【請求項５】
上記保持部は、上記装置本体に対して着脱自在であることを特徴とする請求項１から請求項４の何れか１項に記載の内視鏡装置。
【請求項６】
上記保持部は、上記内視鏡コネクタの上記接続部が臨む方向において、上記ケーブルの位置を規制する規制部を有することを特徴とすることを特徴とする請求項１から請求項５の何れか１項に記載の内視鏡装置。
【請求項７】
上記規制部は、上記装置本体の前面が臨む側に突起し、上記接続部が臨む側の上記保持部の端部に配設されていることを特徴とする請求項６に記載の内視鏡装置。
【請求項８】
上記規制部は、上記保持部の中心位置よりも鉛直下方側に配設されていることを特徴とする請求項７に記載の内視鏡装置。
【請求項９】
接続部が配設された内視鏡コネクタを備える内視鏡が接続されると共に、該接続部に第１のコネクタ部が接続されるケーブルの第２のコネクタ部が接続される装置本体と、
上記内視鏡コネクタが上記装置本体に接続された状態において、上記内視鏡と非接続状態の上記第１のコネクタ部側の上記ケーブルの端部を上記接続部が臨む側に保持する保持部と、
を備えたことを特徴とする内視鏡用ビデオプロセッサ。
【発明の詳細な説明】
【技術分野】
【０００１】
本発明は、電子内視鏡を備えた内視鏡装置、及び電子内視鏡に着脱自在なケーブルが接続される内視鏡用ビデオプロセッサに関する。
【背景技術】
【０００２】
従来から内視鏡は、医療用分野で広く利用されている。この内視鏡は、体内組織の観察、及び治療のため、体腔などに挿入される。このとき、内視鏡は、体内を自然光のみで観察することができない為、光源装置に接続され、照明手段により体内組織を照らして撮像手段により内視鏡画像を撮影する。
【０００３】
また、近年では、内視鏡に撮像素子が配設された電子内視鏡が広く利用されている。このような電子内視鏡は、ビデオプロセッサと画像信号を授受する電気ケーブルによって接続される。
【０００４】
例えば、特許文献１には、撮像カメラから延設するケーブルが診療ユニット本体に着脱自在に接続するコネクタを備えた診療装置が開示されている。この従来の診療装置は、診療ユニット本体との接続が行える、撮像カメラと一体的なケーブルを備えている。また、従来の診療装置の医療ユニット本体は、光源と映像信号処理部が一体となる構成である。
【特許文献１】特開２００４−４９７０８号公報
【発明の開示】
【発明が解決しようとする課題】
【０００５】
特許文献１に記載の診療装置は、１本のケーブルによって、撮像カメラと医療ユニット本体との接続を行うものである。しかしながら、医療装置である内視鏡には、光源、及び映像信号処理部との接続を別々の端子にて行うタイプが存在する。
【０００６】
このような内視鏡は、光源からの光をライトガイドによって、ケーブル、及び挿入部内に導光しており、光源と接続される側のライトガイドが挿通するケーブルが内視鏡と一体的に形成される。その一方で、内視鏡と映像信号処理部を備えたビデオプロセッサとの接続は、電気的な接続であり、使用後の内視鏡の滅菌消毒を容易とするため、内視鏡とは別体で着脱自在なケーブルが用いられる。
【０００７】
このような、ケーブルは、異患者間である症例間で取り替えられる内視鏡に共通利用される。そのため、ケーブルは、症例間で内視鏡の交換時にビデオプロセッサに一方のコネクタ部が接続された状態で、他方のコネクタ部のみが内視鏡から取り外される場合が殆どである。また、使用されていないビデオプロセッサは、ケーブルの一方が接続された状態で保管される場合もある。
【０００８】
しかし、ケーブルの一方のコネクタ部がビデオプロセッサと接続されたまま、他方のコネクタ部が内視鏡から外された未接続状態の場合、医療スタッフは、他方のコネクタ部をぶつけて破損してしまったり、ケーブルを引っ掛けたりする虞がある。さらに、ケーブルの上記他方のコネクタ部は、症例間での内視鏡と容易に脱着できる位置に保持される方が好ましい。
【０００９】
そこで、本発明は、上述の事情に鑑みて成されたものであり、その目的とするところは内視鏡から取り外されたケーブルを内視鏡の交換、及びプロセッサ操作の邪魔とならないように保持すると共に、内視鏡とケーブルとの着脱を容易に行える内視鏡装置、及び内視鏡用ビデオプロセッサを提供することにある。
【課題を解決するための手段】
【００１０】
上記目的を達成すべく、第１の発明の内視鏡装置は、内視鏡コネクタを備えた内視鏡と、上記内視鏡が接続される装置本体と、上記内視鏡コネクタに配設される接続部と接続される第１のコネクタ部、及び上記装置本体と接続される第２のコネクタ部を備えたケーブルと、上記内視鏡コネクタが上記装置本体に接続された状態において、上記内視鏡と非接続状態の上記第１のコネクタ部側の上記ケーブルの端部を上記接続部が臨む側に保持する保持部と、を備えたことを特徴とする。
【００１１】
また、第２の発明の内視鏡用ビデオプロセッサは、接続部が配設された内視鏡コネクタを備える内視鏡が接続されると共に、該接続部に第１のコネクタ部が接続されるケーブルの第２のコネクタ部が接続される装置本体と、上記内視鏡コネクタが上記装置本体に接続された状態において、上記内視鏡と非接続状態の上記第１のコネクタ部側の上記ケーブルの端部を上記接続部が臨む側に保持する保持部と、を備えたことを特徴とする。
【発明の効果】
【００１２】
本発明によれば、内視鏡から取り外されたケーブルを内視鏡の交換、及びプロセッサ操作の邪魔とならないように保持すると共に、内視鏡とケーブルとの着脱を容易に行える内視鏡装置、及び内視鏡用ビデオプロセッサを実現することができる。
【発明を実施するための最良の形態】
【００１３】
以下、図面を参照して、本発明の内視鏡用ビデオプロセッサについて説明する。  
（第１の実施の形態）
先ず、図１〜図２４を用いて、本発明の第１の実施の形態について説明する。尚、図１〜図２４は、本発明の実施の形態に係り、図１は内視鏡用ビデオプロセッサを示す斜視図、図２は図１の内視鏡用ビデオプロセッサの正面図、図３は保持体を示す一方の側面図、図４は図３の矢視ＩＶ方向か見た保持体の上面図、図５は図３の矢視Ｖ方向か見た保持体の下面図、図６は図３の矢視ＶＩ方向か見た保持体の正面図、図７は図３の矢視ＶＩＩ方向か見た保持体の背面図、図８は保持体の図３とは反対の他方の側面図、図９は保持体を正面から見た斜視図、図１０は保持体を背面から見た斜視図、図１１は保持体が内視鏡用ビデオプロセッサの一側面に装着前の状態を示す部分的な斜視図、図１２は保持体が内視鏡用ビデオプロセッサの一側面に装着後の状態を示す部分的な斜視図、図１３は内視鏡を示す全体構成図、図１４はホワイトバランスキャップを示す斜視図、図１５はスコープケーブルを示す斜視図、図１６はチューブ保持キャップを示す斜視図、図１７はチューブ保持キャップの横断面図、図１８は各構成要素が保持体に装着前の状態を示す部分的な斜視図、図１９は各構成要素が保持体に装着後の状態を示す部分的な斜視図、図２０は内視鏡検査時の内視鏡用ビデオプロセッサのセット状態を示す斜視図、図２１はスコープケーブルのみが接続された状態を示す内視鏡用ビデオプロセッサの斜視図、図２２はスコープケーブルの内視鏡側コネクタが保持体のスコープコネクタ保持部に保持された状態を示す内視鏡用ビデオプロセッサの斜視図、図２３はスコープケーブルのプロセッサ側コネクタが保持体のスコープコネクタ保持部に保持された状態を示す内視鏡用ビデオプロセッサの斜視図、図２４は変形例を示し、前面方向の左側に配設された保持体のスコープコネクタ保持部にスコープケーブルの内視鏡側コネクタが保持された状態を示す内視鏡用ビデオプロセッサの斜視図である。
【００１４】
図１、及び図２に示すように、内視鏡と共に内視鏡装置を構成し、内視鏡用光源装置でもある、本実施の形態の内視鏡用ビデオプロセッサ（カメラコントロールユニット、或いはビデオシステムセンタと言われることもある）１は、箱型に装置本体の外形を形成する筐体２と、筐体２の前面部に配設され、装置本体の前面部となるフロントパネル３と、を有している。この内視鏡用ビデオプロセッサ（以下、単にビデオプロセッサという）１は、内視鏡の照明光源であるハロゲンランプを備えると共に、内視鏡の撮像手段が光電変換した信号を画像解析処理し、外部に接続される図示しないモニタに内視鏡画像信号として出力する。  
尚、本実施の形態の内視鏡用ビデオプロセッサ１には、内視鏡による送気送水のためのコンプレッサ、ポンプなども内蔵されている。
【００１５】
フロントパネル３には、内視鏡に接続されるスコープケーブルの一方のコネクタが着脱する雌状コネクタ部４と、駆動時に点灯する電源ランプ５と、電源スイッチ６と、内視鏡が着脱される内視鏡コネクタ部７と、内蔵するハロゲンランプの切換え用の光源切換えレバー８と、内視鏡に接続される上記スコープケーブルの他方のコネクタが当接しないようにするための凹部９と、内視鏡の光学機能の各種操作をコントロールする光学機能操作部である操作パネル１０と、を有している。
【００１６】
操作パネル１０には、複数の警告ランプ、及び複数の設定ボタン１０ａが配設されており、本実施の形態では、符号１０ｂがキャリブレーション指示部であるホワイトバランス設定ボタンとなっている。尚、ユーザは、各設定ボタン１０ａの操作により、光源の光量、イメージ色調などの設定が行える。
【００１７】
光源切換えレバー８は、装置内部に内蔵されたハロゲンランプが球切れとなった場合、予備のハロゲンランプに切り換えるためのレバーである。
【００１８】
また、ビデオプロセッサ１は、吸引チューブ保持部材であるチューブ保持キャップ２１、ホワイトバランスキャップ３１、及び上記スコープケーブルのコネクタを保持する、着脱自在な保持体１１が一側面に配設されている。
【００１９】
ここで、保持体１１について、図３〜図１２を用いて、詳しく説明する。  
図３〜図１０に示すように、保持体１１は、上部側からホワイトバランスキャップ３１を保持するリング形状のキャップ保持部１２と、スコープケーブルのコネクタの外形状に合わせて該コネクタを保持する略半筒状の凹部状に形成されたスコープコネクタ保持部１３と、チューブ保持キャップ２１を保持する内向のフランジ形状をしたキャップ保持部１４と、が一体形成されている。
【００２０】
リング状のキャップ保持部１２は、上方の開口からホワイトバランスキャップ３１が挿入される孔軸が所定の角度、本実施の形態では鉛直方向に対して前方のフロントパネル３の表面側へ例えば、１０度〜３０度に傾斜した内周面１２ａを有している。
【００２１】
スコープコネクタ保持部１３は、保持体１１の前面側に向かって段状に先細りした略半筒状をしている。また、スコープコネクタ保持部１３は、その前方に保持体１１の前面を形成すると共に、側方、ここでは右側から略半円状に切り欠かれた内向のフランジ状の係止面１３ａが形成されている。
【００２２】
キャップ保持部１４は、上方斜め、ここでは右斜め方向から略半円状に切り欠かれたキャップ係止部１４ａが形成されている。
【００２３】
このように構成された保持体１１は、各保持部１２〜１４を片持ちする状態で一側部が平面形状をしており、その一側部には略Ｌ字状の切り溝１５が２つ形成されている。これら切り溝１５は、ビデオプロセッサ１の筐体２の側面部に保持体１１が係止されるための係止溝である。
【００２４】
詳しくは、図１１、及び図１２に示すように、本実施の形態ではビデオプロセッサ１には、フロントパネル３側から見たときに、筐体２の右側の側面に頭部に外向のフランジを有した２つの係止部１８が設けられている。
【００２５】
これら係止部１８には、保持体１１の上記一側部が筐体２に対向する方向から、それぞれ対応する保持体１１の切り溝１５が係入される。これにより、保持体１１は、ビデオプロセッサ１の筐体２の一側面、ここでは右側面に固定される。
【００２６】
ここで、ビデオプロセッサ１に接続される内視鏡について図１３を用いて説明する。  
内視鏡１００は、図１３に示すように、挿入部１１１と、この挿入部１１１の基端に接続される操作部１１２と、この操作部１１２から延設され、ビデオプロセッサ１に接続されるユニバーサルコード１１３と、を有している。
【００２７】
挿入部１１１は、先端から順に、先端部１１１ａ、湾曲部１１１ｂ、及び可撓管部１１１ｃが連設された軟性のチューブ体である。操作部１１２は、先端から順に、可撓管部１１１ｃの基端が接続された折れ止め部１１２ａと、処置具挿通部１１２ｄを備えた把持部１１２ｂと、湾曲レバー１１５、送気、送水、吸引の操作、及び先端部１１１ａに設けられる撮像手段、照明手段などの各種光学系操作を行うための複数のスイッチ１１４が配設された主操作部１１２ｃと、を有して構成されている。
【００２８】
先端部１１１ａには、体内の組織を撮影するためのＣＣＤ、或いはＣＭＯＳの撮像素子が内蔵され、この撮像素子により光電変換された画像信号がユニバーサルコード１１３を介して、ビデオプロセッサ１に出力される。
【００２９】
尚、ユニバーサルコード１１３の延出端には、ビデオプロセッサ１に接続するコネクタ部１１３ａが配設されている。このコネクタ部１１３ａは、基端面側からビデオプロセッサ１の内視鏡コネクタ部７に挿入接続され、一側面に後述するスコープケーブルのコネクタが接続される電気コネクタ部１１３ｂを有している。
【００３０】
本実施の形態では、先端部１１１ａからユニバーサルコード１１３にかけてライトガイドが挿通しており、このライトガイドがビデオプロセッサ１内の光源を導光することで、先端部１１１ａから被検体に向けて照明光が照射される。さらに、ユニバーサルコード１１３のコネクタ部１１３ａは、図示しない送気送水用のプラグ、及び吸引用のプラグが設けられている。
【００３１】
また、本実施の形態の内視鏡１００は、湾曲部１１１ｂが上下の２方向へ湾曲するタイプの内視鏡であり、操作部１１２に設けられた湾曲レバー１１５の回動操作によって、湾曲部１１１ｂが上下（ＵＰ−ＤＯＷＮ）に湾曲される。尚、内視鏡１００は、湾曲部１１１ｂが上下のみの２方向に湾曲するタイプに限定されることなく左右を含めた４方向（上下左右の操作によっては、軸回りの全周方向）へ湾曲するタイプでも良い。
【００３２】
次に、上述した保持体１１の各保持部１２〜１４に保持されるホワイトバランスキャップ３１、スコープケーブルのコネクタ、及びチューブ保持キャップ２１について説明する。
【００３３】
先ず、ホワイトバランスキャップ３１について、図１４を用いて説明する。  
図１４に示すように、キャリブレーション部材であるホワイトバランスキャップ３１は、一端が閉塞した略筒状をしており、該一端に外向のフランジ３２が形成されている。このホワイトバランスキャップ３１は、内視鏡１００の挿入部１１１の先端部分を収容して、内視鏡が撮影する画像のホワイトバランスを取得するために全体が白色面の穴部３３を有している。このように構成されたホワイトバランスキャップ３１は、後述するように、保持体１１のキャップ保持部１２に装着保持される。
【００３４】
次に、内視鏡１００に接続されるスコープケーブル４１について、図１５を用いて説明する。  
図１５に示すように、スコープケーブル４１は、両端にコネクタ４２，４３が配設されたコイル状に巻回した、所謂カール状のケーブル線４４を有している。このケーブル線４４には、各コネクタ４２，４３が離れる方向にテンションが掛けられると、延伸し、且つ元の状態に戻ろうとする張力が発生する。
【００３５】
また、各コネクタ４２，４３のうち、コネクタ（以下、プロセッサ側コネクタという）４２は、ビデオプロセッサ１のフロントパネル３に設けられた雌状コネクタ部４に挿入接続される。このプロセッサ側コネクタ４２は、凹凸が表面に形成された略板状をしており、先端面からコネクタ端子４２ａを有している。
【００３６】
一方、コネクタ（以下、内視鏡側コネクタという）４３は、内視鏡１００のコネクタ部１１３ａの一側面に配設される電気コネクタ部１１３ｂに接続される。この内視鏡側コネクタ４３は、複数の段部を有して先細りとなった略円筒形状をしている。このように構成された、スコープケーブル４１は、内視鏡側コネクタ４３が後述するように、保持体１１のスコープコネクタ保持部１３に装着保持される。
【００３７】
次に、吸引チューブを保持するチューブ保持キャップ２１について、図１６、及び図１７を用いて説明する。  
図１６に示すように、チューブ保持キャップ２１は、弾性部材、或いは合成樹脂からなり、一端が開口し、他端が閉塞したチューブ保持穴２２を有する略筒状の部材である。このチューブ保持キャップ２１の中途外周部には、周溝２３が形成されている。また、チューブ保持穴２２を形成する開口部と反対の端面は、所謂すり鉢状の曲面が形成されている。
【００３８】
このように構成された、チューブ保持キャップ２１は、後述するように、保持体１１のキャップ保持部１４に装着保持される。
【００３９】
以上に説明した、ホワイトバランスキャップ３１、スコープケーブル４１の内視鏡側コネクタ４３、及びチューブ保持キャップ２１は、図１８、及び図１９に示すように、ビデオプロセッサ１に固定された保持体１１に夫々所定の位置で装着保持される。
【００４０】
詳しくは、ホワイトバランスキャップ３１は、保持体１１の上方に設けられたキャップ保持部１２の上方から開口部側を下部として挿入される。このとき、ホワイトバランスキャップ３１は、その外周面がキャップ保持部１２の内周面１２ａと所定の摩擦力で接触状態となり、ある程度の固定力で保持された状態となる。また、ホワイトバランスキャップ３１のフランジ３２がキャップ保持部１２の上面部と当接して、下方への脱落が防止される。
【００４１】
また、スコープケーブル４１の内視鏡側コネクタ４３は、延出するケーブル線４４が前方側となるように、スコープコネクタ保持部１３に側方、ここでは右側から載置される。このとき、内視鏡側コネクタ４３は、外形と略同じように形成された凹部状のスコープコネクタ保持部１３に係合すると共に、前方側へケーブル線４４の張力を受けた状態で保持される。また、内視鏡側コネクタ４３は、前方側への張力により、保持体１１の係止面１３ａにケーブル線４４が延出する周囲の面が当接して固定され、スコープコネクタ保持部１３からの脱落が防止される。
【００４２】
一方、チューブ保持キャップ２１は、チューブ保持穴２２の開口部が前方となるように、上方斜め、ここでは右斜め方向からキャップ保持部１４に装着される。このとき、チューブ保持キャップ２１は、その外周部に形成された周溝２３がキャップ係止部１４ａに係入され固定される。
【００４３】
また、チューブ保持キャップ２１の周溝２３の溝幅は、キャップ係止部１４ａの厚さ方向の寸法よりも若干に小さく設定されている。そのため、チューブ保持キャップ２１は、自己の弾性力により周溝２３を形成する面がキャップ係止部１４ａの当接面と圧接固定するため、キャップ係止部１４ａからの脱落が防止される。
【００４４】
以上のように構成された本実施の形態のビデオプロセッサ１は、図２０に示す状態にセットされ、内視鏡検査が行われる。尚、図２０では、内視鏡画像を表示するモニタなどの表示手段は図示していない。
【００４５】
図２０に示すように、ビデオプロセッサ１は、内視鏡コネクタ部７に内視鏡１００のコネクタ部１１３ａの端部が挿入接続される。また、スコープケーブル４１は、プロセッサ側コネクタ４２がビデオプロセッサ１のフロントパネル３の雌状コネクタ部４に挿入接続され、内視鏡側コネクタ４３が内視鏡１００のコネクタ部１１３ａの側面に設けられた電気コネクタ部１１３ｂに接続される。
【００４６】
また、内視鏡１００のコネクタ部１１３ａには、図示しない吸引装置に接続された吸引チューブ５１と、送気送水用のチューブ５６が接続される。また、上記吸引装置は、別体の装置、或いは病院施設に設けられた吸引システム装置である。尚、図２０に示すように、内視鏡１００の挿入部１１１を介して、被検体内に送水するための滅菌水が貯留された送水タンク５５がビデオプロセッサ１の側面、紙面上において、保持体１１が配設された側面と反対側の側面に配設されている。
【００４７】
以上のように構成された本実施の形態のビデオプロセッサ１を用いて内視鏡検査が行われた場合、次の患者の内視鏡検査を行う症例間において、使用済みの内視鏡１００が取り替えられ、洗滌された新たな内視鏡１００がビデオプロセッサ１に接続される。
【００４８】
このとき、医師であるユーザは、送気送水用のチューブ５６、内視鏡１００とビデオプロセッサ１を接続するケーブルであるスコープケーブル４１の第１のコネクタ部となる内視鏡側コネクタ４３、及び吸引チューブ５１を内視鏡１００のコネクタ部１１３ａから取り外した後、ビデオプロセッサ１からコネクタ部１１３ａを抜き取る。
【００４９】
内視鏡１００のコネクタ部１１３ａを抜き取られたビデオプロセッサ１は、図２１に示すようにスコープケーブル４１の第２のコネクタ部となるプロセッサ側コネクタ４２が雌状コネクタ部４と接続した状態となる。そのため、スコープケーブル４１の内視鏡側コネクタ４３が未接続のままの状態となる。
【００５０】
このとき、ユーザは、内視鏡側コネクタ４３をスコープコネクタ保持部材となる保持体１１のスコープコネクタ保持部１３に上述したように載置させることができる。また、この内視鏡側コネクタ４３は、ケーブル線４４の張力により、保持体１１の係止面１３ａと当接することで、スコープコネクタ保持部１３内で確実に保持され、脱落が防止される。
【００５１】
また、このスコープケーブル４１の一端部となる内視鏡側コネクタ４３は、スコープコネクタ保持部１３に装着保持された状態において、図２２に示すように、内視鏡１００のコネクタ部１１３ａに設けられた電気コネクタ部１１３ｂとの接続面側、本実施の形態では右方向に位置する。そのため、ユーザは、電気コネクタ部１１３ｂから取り外した内視鏡側コネクタ４３を保持体１１のスコープコネクタ保持部１３へのアプローチが非常にスムーズに行える。
【００５２】
さらに、ユーザは、内視鏡１００のコネクタ部１１３ａから取り外した内視鏡側コネクタ４３をビデオプロセッサに接続される他の構成要素である内視鏡１００と、コネクタ部１１３ａに接続される吸引チューブ５１、及び送気送水用のチューブ５６と交差させることなく、スコープコネクタ保持部１３に装着保持させることができる。尚、図２２では、吸引チューブ５１は、保持体１１のチューブ保持キャップ２１に装着保持された状態を示している。
【００５３】
また、ユーザは、症例間での内視鏡１００の交換時に、未使用の新たな内視鏡１００をビデオプロセッサ１に接続させた状態では、コネクタ部１１３ａの電気コネクタ部１１３ｂがスコープコネクタ保持部１３に保持された内視鏡側コネクタ４３側である、ここでは右側を臨んでいるため、この電気コネクタ部１１３ｂへ内視鏡側コネクタ４３をアプローチし易く、電気コネクタ部１１３ｂと内視鏡側コネクタ４３との接続が容易に行うことができる。
【００５４】
さらに、本実施の形態のビデオプロセッサ１は、プロセッサ側コネクタ４２が接続され、内視鏡側コネクタ４３が保持体１１のスコープコネクタ保持部１３に保持されている状態では、スコープケーブル４１がケーブル線４４の張力により、フロントパネル３に沿って保持されるため、邪魔となることがない。
【００５５】
尚、図２３に示すように、保持体１１のスコープコネクタ保持部１３は、プロセッサ側コネクタ４２も装着保持できる構成となっている。この状態においても、内視鏡側コネクタ４３が内視鏡１００のコネクタ部１１３ａに接続状態では、ケーブル線４４の張力によりプロセッサ側コネクタ４２が保持体１１の係止面１３ａに当接して、スコープコネクタ保持部１３内で確実に保持され、脱落が防止される。
【００５６】
また、本実施の形態では、ビデオプロセッサ１のフロントパネル３の正面方向に向かって右方向を臨んだコネクタ部１１３ａの電気コネクタ部１１３ｂと、この電気コネクタ部１１３ｂが臨む方向である右側に配置された保持体１１のスコープコネクタ保持部１３の構成を説明したが、これに限定されることは無い。すなわち、保持体１１のスコープコネクタ保持部１３は、ビデオプロセッサ１に接続された状態のコネクタ部１１３ａの電気コネクタ部１１３ｂが臨む方向と等しい方向となる、フロントパネル３の正面方向に向かって上下左右のどの位置でも良い。例えば、図２４に示すように、ビデオプロセッサ１に接続されたコネクタ部１１３ａの電気コネクタ部１１３ｂがフロントパネル３の正面方向に向かった左側に臨む場合には、保持体１１のスコープコネクタ保持部１３がこの電気コネクタ部１１３ｂが臨む方向である左側に配置される。
【００５７】
（第２の実施の形態）
次に、本発明の第２の実施の形態について、図２５〜図２９を用いて説明する。尚、以下の説明において、第１の実施の形態と同様の構成要素については同一の符号を付して説明を省略し、異なる部分のみを説明する。
【００５８】
また、図２５から図２９は、本発明の第２の実施の形態に係り、図２５は保持体を示す一方の側面図、図２６は保持体を図３とは反対の他方の側面図、図２７は保持体を背面から見た斜視図、図２８は各構成要素が保持体に装着後の状態を示す一方向から見た部分的な斜視図、図２９は図２８に対して、他方向から見た各構成要素が保持体に装着後の状態を示す部分的な斜視図である。
【００５９】
第１の実施の形態では、内視鏡側コネクタ４３をスコープコネクタ保持部１３により保持した状態では、プロセッサ側コネクタ４２がフロントパネル３にある雌状コネクタ部４と接続した状態であるため、スコープケーブル４１のケーブル線４４の張力によって、スコープケーブル４１の内視鏡側コネクタ４３が保持体１１の係止面１３ａに当接する方向に力が加わり、内視鏡側コネクタ４３のスコープコネクタ保持部１３からの脱落を防止している。
【００６０】
ところが、この状態から、プロセッサ側コネクタ４２を装置本体２のフロントパネル３に設けられた雌状コネクタ部４から取り外した場合、スコープケーブル４１のケーブル線４４は、重力による若干の鉛直下方への張力が発生するが、スコープケーブル４１の内視鏡側コネクタ４３を充分に保持体１１の係止面１３ａに当接して、スコープコネクタ保持部１３によって保持するだけの張力を与えることができない。そのため、スコープケーブル４１の内視鏡側コネクタ４３がスコープコネクタ保持部１３から自然に脱落してしまう可能性がある。
【００６１】
そこで、本実施の形態では、図２５〜図２７に示すように、保持体１１は、保持部１３に対して、設置される内視鏡用ビデオプロセッサ１のフロントパネル３が向く方向である前方側に延設され、係止面１３ａに対して、図２７の紙面上では左下側に配設された規制部となる突起部６１を有している。尚、図２７の紙面上の左下側とは、内視鏡用ビデオプロセッサ１に接続される内視鏡１００のコネクタ部１１３ａが臨む方向であるスコープコネクタ保持部１３の端部であって、スコープケーブル４１の内視鏡側コネクタ４３がスコープコネクタ保持部１３に係合している状態において、この内視鏡側コネクタ４３から前方へ延出するケーブル線４４よりも下方側（図２５に示す、一点鎖線Ｃが通るスコープコネクタ保持部１３の中心よりも鉛直下方側）である。
【００６２】
このように構成された保持体１１は、第１の実施の形態と同様に内視鏡用ビデオプロセッサ１に装着され、スコープコネクタ保持部１３によって、スコープケーブル４１の内視鏡側コネクタ４３を保持する。この内視鏡側コネクタ４３を保持している状態で、スコープケーブル４１のプロセッサ側コネクタ４２が雌状コネクタ部４から取り外された場合、図２８、及び図２９に示すように、保持体１１の突起部６１は、内視鏡側コネクタ４３から延出する根元付近のスコープケーブル４１のケーブル線４４を当接して、ここでは紙面上の右側となる内視鏡１００のコネクタ部１１３ａが臨む方向側へ移動することを規制する。
【００６３】
すなわち、保持体１１の突起部６１は、内視鏡側コネクタ４３を保持するスコープコネクタ保持部１３の保持面に対して、対向する側の面によりスコープケーブル４１のケーブル線４４の一部に当接して、ケーブル線４１の左右、特に内視鏡１００のコネクタ部１１３ａが臨む方向への動きを規制する。
【００６４】
このように本実施の形態では、保持体１１に突起部６１を設けることで、スコープケーブル４１のプロセッサ側コネクタ４２が内視鏡用ビデオプロセッサ１のフロントパネル３に設けられた雌状コネクタ部４から取り外された場合でも、突起部６１によって、内視鏡側コネクタ４３が保持体１１の保持部１３からケーブル線４４の揺れなどの動きによる自然脱落を防止することができる。
【００６５】
また、突起部６１は、上述したように、スコープコネクタ保持部１３の中心位置よりも鉛直下方側に設けられることにより、内視鏡側コネクタ４３の保持部１３への着脱性を阻害しない構成とすることができる。
【００６６】
以上の実施の形態に記載した発明は、夫々の実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００６７】
例えば、実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００６８】
【図１】本発明の第１の実施の形態に係る内視鏡用ビデオプロセッサを示す斜視図。
【図２】同、図１の内視鏡用ビデオプロセッサの正面図。
【図３】同、保持体を示す一方の側面図。
【図４】同、図３の矢視ＩＶ方向か見た保持体の上面図。
【図５】同、図３の矢視Ｖ方向か見た保持体の下面図。
【図６】同、図３の矢視ＶＩ方向か見た保持体の正面図。
【図７】同、図３の矢視ＶＩＩ方向か見た保持体の背面図。
【図８】同、保持体の図３とは反対の他方の側面図。
【図９】同、保持体を正面から見た斜視図。
【図１０】同、保持体を背面から見た斜視図。
【図１１】同、保持体が内視鏡用ビデオプロセッサの一側面に装着前の状態を示す部分的な斜視図。
【図１２】同、保持体が内視鏡用ビデオプロセッサの一側面に装着後の状態を示す部分的な斜視図。
【図１３】同、内視鏡を示す全体構成図。
【図１４】同、ホワイトバランスキャップを示す斜視図。
【図１５】同、スコープケーブルを示す斜視図。
【図１６】同、チューブ保持キャップを示す斜視図。
【図１７】同、チューブ保持キャップの横断面図。
【図１８】同、各構成要素が保持体に装着前の状態を示す部分的な斜視図。
【図１９】同、各構成要素が保持体に装着後の状態を示す部分的な斜視図。
【図２０】同、内視鏡検査時の内視鏡用ビデオプロセッサのセット状態を示す斜視図。
【図２１】同、スコープケーブルのみが接続された状態を示す内視鏡用ビデオプロセッサの斜視図。
【図２２】同、スコープケーブルの内視鏡側コネクタが保持体のスコープコネクタ保持部に保持された状態を示す内視鏡用ビデオプロセッサの斜視図。
【図２３】同、スコープケーブルのプロセッサ側コネクタが保持体のスコープコネクタ保持部に保持された状態を示す内視鏡用ビデオプロセッサの斜視図。
【図２４】変形例を示し、前面方向の左側に配設された保持体のスコープコネクタ保持部にスコープケーブルの内視鏡側コネクタが保持された状態を示す内視鏡用ビデオプロセッサの斜視図。
【図２５】本発明の第２の実施の形態に係り、保持体を示す一方の側面図。
【図２６】同、保持体の図２５とは反対の他方の側面図。
【図２７】同、保持体を背面から見た斜視図。
【図２８】同、各構成要素が保持体に装着後の状態を示す一方向から見た部分的な斜視図。
【図２９】同、図２８に対して、他方向から見た、各構成要素が保持体に装着後の状態を示す部分的な斜視図。
【符号の説明】
【００６９】
１・・・内視鏡用ビデオプロセッサ
２・・・筐体
３・・・フロントパネル
４・・・雌状コネクタ部
７・・・内視鏡コネクタ部
１０ａ・・・設定ボタン
１０・・・操作パネル
１１・・・保持体
１３・・・スコープコネクタ保持部
１３ａ・・・係止面
４１・・・スコープケーブル
４２ａ・・・コネクタ端子
４２・・・プロセッサ側コネクタ
４３・・・内視鏡側コネクタ
４４・・・ケーブル線
６１・・・突起部
１００・・・内視鏡
１１３ａ・・・コネクタ部
１１３・・・ユニバーサルコード
１１３ｂ・・・電気コネクタ部
【図１】
2008055130.tif 000003
【図２】
2008055130.tif 000004
【図３】
2008055130.tif 000005
【図４】
2008055130.tif 000006
【図５】
2008055130.tif 000007
【図６】
2008055130.tif 000008
【図７】
2008055130.tif 000009
【図８】
2008055130.tif 000010
【図９】
2008055130.tif 000011
【図１０】
2008055130.tif 000012
【図１１】
2008055130.tif 000013
【図１２】
2008055130.tif 000014
【図１３】
2008055130.tif 000015
【図１４】
2008055130.tif 000016
【図１５】
2008055130.tif 000017
【図１６】
2008055130.tif 000018
【図１７】
2008055130.tif 000019
【図１８】
2008055130.tif 000020
【図１９】
2008055130.tif 000021
【図２０】
2008055130.tif 000022
【図２１】
2008055130.tif 000023
【図２２】
2008055130.tif 000024
【図２３】
2008055130.tif 000025
【図２４】
2008055130.tif 000026
【図２５】
2008055130.tif 000027
【図２６】
2008055130.tif 000028
【図２７】
2008055130.tif 000029
【図２８】
2008055130.tif 000030
【図２９】
2008055130.tif 000031